(57)【要約】【課題】プレカット瓦を用いる際、瓦の種類をモジュール化して個別の切断寸法の算出作業を不要なものとする。【解決手段】隅棟または谷芯が軒先と形成する角度で規格寸法の瓦の角部を所定幅だけ切断する。切断幅の異なる複数種類のプレカット瓦を複数段に配置したときに繰り返し可能な単位モジュールを形成するように、隅棟または谷芯が軒先と形成する角度と規格瓦の働き幅から瓦の働き長さを決定し、この働き長さの値と千鳥葺きする瓦の配置位置からそれぞれの瓦の切断幅を決定し、それらの瓦の角部を事前に工場で上記切断幅だけ切断する。具体的には、隅棟または谷芯が軒先と形成する角度を有し、水平幅が瓦の働き幅の２．５倍、垂直高さが瓦の働き長さの３倍の直角三角形を仮想して単位モジュールの大きさとし、単位モジュールのプレカット瓦の種類が５種類で配置段数が３段となるようにした。【選択図】図３
2008127786.tif 000002
【特許請求の範囲】
【請求項１】
所定勾配の屋根面が交差して形成される隅棟部分または谷部分の葺き初めに用いる瓦であって、隅棟または谷芯が軒先と形成する角度で規格寸法の瓦の角部を所定幅だけ切断したことを特徴とするプレカット瓦。
【請求項２】
切断幅の異なる複数種類のプレカット瓦を複数段に配置したときに繰り返し可能な単位モジュールを形成するように、隅棟または谷芯が軒先と形成する角度と規格瓦の働き幅から瓦の働き長さを決定し、この働き長さの値と千鳥葺きする瓦の配置位置からそれぞれの瓦の切断幅を決定し、それらの瓦の角部を事前に工場で上記切断幅だけ切断したことを特徴とするプレカット瓦。
【請求項３】
隅棟または谷芯が軒先と形成する角度を有し、水平幅が瓦の働き幅の２．５倍、垂直高さが瓦の働き長さの３倍の直角三角形を仮想してこれを単位モジュールの大きさとし、単位モジュールのプレカット瓦の種類が５種類で配置段数が３段となるように、隅棟または谷芯が軒先と形成する角度と瓦の働き幅から瓦の働き長さを決定し、瓦の働き幅の約１／２の位置を始点として隅棟または谷芯が軒先と形成する角度で切断して第１プレカット瓦とし、第１プレカット瓦の位置と隅棟または谷芯との距離から決定される位置で切断して第１プレカット瓦の隣に固定する第２プレカット瓦とし、瓦の働き長さだけ１段上において、働き幅の半分だけずらして並んで固定される瓦は、第１プレカット瓦の切断線の延長上を切断して第３プレカット瓦および第４プレカット瓦とし、さらに１段上において、同様に働き幅の半分だけずらして固定される瓦は、第１プレカット瓦の切断線の延長上を切断して第５プレカット瓦とし、単位モジュールを繰り返して屋根を葺くようにした請求項２記載のプレカット瓦。
【請求項４】
請求項１から請求項３のいずれかに記載のプレカット瓦において、それぞれの切断角度を隅棟または谷芯が軒先と形成する角度より１〜３度小さい角度としたプレカット瓦。
【発明の詳細な説明】
【技術分野】
【０００１】
この発明は、寄せ棟屋根などにおいて、その隅棟部分や２つの屋根が鍵形に交差する部分に形成される谷部分を施工する場合に用いられるプレカット瓦に関するものである。
【背景技術】
【０００２】
従来、図１に示すような寄せ棟屋根を瓦葺きする場合、隅棟部分や谷部分では軒先に対して所定の角度を形成しているので、瓦の片側を所定の幅および角度で切断した瓦を用いて瓦葺きする。この場合、瓦は屋根上の現場で切断加工しており、その作業としては、瓦を必要な寸法より大きく粗切りして固定した後、隅棟または谷芯から数センチのところに切断線を引き、その線に沿って瓦金槌を用いて叩き割ったり、グラインダーでカットするなどしている。
【０００３】
このような作業は、職人の技術力によるところが大きく、個々の職人の技術力の差によって、余計な時間がかかったり、歩留まりが悪くなったりしていた。また、グラインダーによる切断の場合、屋根上の切断では多くの粉塵が発生し、近隣に多大な迷惑をかける要因ともなっていた。さらに、切断の際の多量の粉塵により、作業員の健康被害や現場の汚損も問題となっていた。また、切断片が残るので、現場で多くの廃材が出ることも問題であった。このため、例えば、特許文献１に示すように、予め建築図面に従って切断寸法を算出して、前もって工場で所定の寸法に切断した瓦を用いて瓦葺きするプレカット工法が提案されている。
【０００４】
【特許文献１】特開２００６−１０４７１９号公報
【発明の開示】
【発明が解決しようとする課題】
【０００５】
しかしながら、上記特許文献１に記載の工法は、瓦葺きの途中で葺き終いの谷瓦の切断寸法を算出し、工場でプレカットするものであったから、個々の工事毎に切断寸法の算出やプレカットの工程が必要であり、なお多大な手間を要するものであった。
【０００６】
本発明は、かかる実情に鑑みなされたもので、隅棟部分や谷部分の瓦葺きの際に現場で作業する場合に生じる上述した種々の問題点を解決するため、プレカットした瓦を用いることとし、その際、瓦の種類をモジュール化して個別の切断寸法の算出作業を不要なものとしたプレカット瓦を提供するものである。
【０００７】
さらに、隅棟部分や谷部分に上記プレカット瓦を用いて瓦葺きをした場合に、施工後の屋根を軒先側からみると、瓦の歪みや寸法誤差、瓦の厚みによる戻り勾配等によって、その切断面が不揃いに観察され、外観上見栄えが悪く、意匠的に好ましくない場合がある。
【０００８】
そこで、本発明では、プレカット瓦を用いた瓦葺きにおいて、隅棟部分や谷部分の外観を見栄えよくするように工夫したプレカット瓦を提供することも目的とする。
【課題を解決するための手段】
【０００９】
本発明では、上記種々の課題を解決するために、所定勾配の屋根面が交差して形成される隅棟部分または谷部分の葺き初めに用いる瓦であって、隅棟または谷芯が軒先と形成する角度で規格寸法の瓦の角部を所定幅だけ切断するという手段を採用した。
【００１０】
そして、切断幅の異なる複数種類のプレカット瓦を複数段に配置したときに繰り返し可能な単位モジュールを形成するように、隅棟または谷芯が軒先と形成する角度と規格瓦の働き幅から瓦の働き長さを決定し、この働き長さの値と千鳥葺きする瓦の配置位置からそれぞれの瓦の切断幅を決定し、それらの瓦の角部を事前に工場で上記切断幅だけ切断するという手段を採用した。
【００１１】
具体的には、隅棟または谷芯が軒先と形成する角度を有し、水平幅が瓦の働き幅の２．５倍、垂直高さが瓦の働き長さの３倍の直角三角形を仮想してこれを単位モジュールの大きさとし、単位モジュールのプレカット瓦の種類が５種類で配置段数が３段となるように、隅棟または谷芯が軒先と形成する角度と瓦の働き幅から瓦の働き長さを決定し、瓦の働き幅の約１／２の位置を始点として隅棟または谷芯が軒先と形成する角度で切断して第１プレカット瓦とし、第１プレカット瓦の位置と谷芯との距離から決定される位置で切断して第１プレカット瓦の隣に固定する第２プレカット瓦とし、瓦の働き長さだけ１段上において、働き幅の半分だけずらして並んで固定される瓦は、第１プレカット瓦の切断線の延長上を切断して第３プレカット瓦および第４プレカット瓦とし、さらに１段上において、同様に働き幅の半分だけずらして固定される瓦は、第１プレカット瓦の切断線の延長上を切断して第５プレカット瓦とし、単位モジュールを繰り返して屋根を葺くようにした。
【００１２】
また別に、上記プレカット瓦において、それぞれの切断角度を隅棟または谷芯が軒先と形成する角度より１〜３度小さい角度とするという手段を採用した。
【発明の効果】
【００１３】
上記構成にかかる本発明のプレカット瓦は、事前に工場で、瓦の角部を隅棟または谷芯が軒先と形成する角度で切断しておくので、現場での切断作業を省略することが可能となる。そのため、従来のように、職人の技術力によって作業時間がかかったり、歩留まりが悪くなったりすることがない。また、現場で作業しないので、粉塵の発生を大幅に削減でき、現場や近隣を汚損することがなく、作業員の健康被害を防ぐことができる。さらに、現場での廃材の量を大幅に削減することができるなど、多大な効果が期待できるものである。
【００１４】
また、複数のプレカット瓦を組み合わせて単位モジュールを構成することで、規格化した数種類のプレカット瓦だけで隅棟部分または谷部分を葺き上げることができるから、工事毎に切断幅を算出するといった作業も省略できるし、複数種類のプレカット瓦を準備するだけでよいから、作業効率が大幅に向上する。
【００１５】
さらに、予め隅棟や谷芯が軒先と形成する角度が分かれば、瓦の働き幅と働き長さをもとに、単位モジュールを構成する個々の瓦の切断幅が容易に算出でき、その数値をもとに、事前に工場で切断できる。
【００１６】
一方、切断角度を実際に隅棟や谷芯が軒先と形成する角度より１〜３度小さく設定して各瓦を切断しておくと、実際に施工した場合、ひずみや寸法誤差、瓦の厚味による戻り勾配等を補正することができるようになるので、軒先側から見た場合に、瓦の段葺き部の見掛け誤差を仰角によって吸収し、一直線に見える効果があり、美感上、大きく寄与するものである。
【発明を実施するための最良の形態】
【００１７】
以下、本発明に係るプレカット瓦の好ましい実施形態を図面に従って説明する。図１は寄せ棟屋根の一例の平面図であり、１は所定勾配の屋根面２、３が鍵形に交差して形成された谷部分である。本実施形態では、この谷部分１において、谷部分を葺き始めとして、左から右へ、および、下から上へ瓦を葺いていく場合について説明する。また、本実施形態では、ＪＩＳ規格に規定されるＦ形（平板瓦）の瓦を千鳥葺きした態様を例示する。
【００１８】
図２、３は、５／１０勾配の屋根面の交差部分における谷芯４より左側部分にＦ形瓦５を葺き上げる場合の、葺き初めの端部におけるプレカット瓦の配置の例を示すものである。なお、アンダーラップ部分は省略している。また、図３では、Ｆ形瓦の働き長さを２８５ｍｍ、働き幅は３０６ｍｍとしているが、これは一例であり、個々の条件により変更される。図２において、４は谷芯で、屋根勾配によりその角度（図１のα）が決定される。５ａ〜５ｅはプレカット瓦で、それぞれＦ形の桟瓦の右下角部分を、谷芯４が軒先と形成する角度（１８０度−α）で切断したものである。従って、瓦の切断面は上記谷芯４と平行するようになる。この切断作業は、上記角度が予め分かっているので、事前に工場において切断しておく。そして、このプレカット瓦を現場に持ち込み、屋根葺き施工を行う。これによって、従来行っていた現場での切断作業が省略され、切断時に発生する粉塵の問題や作業員の健康被害が確実に排除できると共に、余計な廃材も生じないので、現場での種々の手間が大幅に削減できる。
【００１９】
次に、瓦の切断寸法について詳細に説明すると、本発明では、プレカット瓦を切断箇所により５種類に限定し、その組み合わせを単位モジュールとしてこの単位モジュールの繰り返しで瓦葺きができるようにした。即ち、図２では、５種類のプレカット瓦５ａ〜５ｅを３段に配置し、これを単位モジュールとして３回繰り返した例を示している。この単位モジュールを図３、４に従って説明すると、谷芯４が軒先Ｎと形成する角度をθとすると、ｔａｎθ＝ｂ／ａの関係にある。ここで、千鳥葺きであるので、図の瓦の切断面が斜辺を構成する仮想直角三角形（単位モジュールの大きさ）の水平幅ａは働き幅の２．５倍、垂直高さｂは働き長さの３倍となる。この関係から、θが分かれば、働き幅は使用する瓦により決まっているので、瓦の働き長さが決定されることになる。そこで、先ず、軒先瓦５ａの出の寸法を決定し、これに基づき、働き長さから軒先瓦の出の寸法を差し引いて第１桟木６の位置が定まる。第２桟木７、第３桟木８の位置は瓦の働き長さによりその間隔が決定され、第４桟木以降も同一間隔で固定する。
【００２０】
次に、瓦の働き幅の約１／２の位置を始点として、谷芯が軒先と形成する角度θで瓦の右下角を切断して、第１のプレカット瓦５ａとする。この第１プレカット瓦５ａの切断面を谷芯４から所定の距離を置いて第１桟木６に固定したとすると、その右側に隣接する瓦の大きさ、即ち、切断位置が自ずと決定される。但し、この場合、真横に並べると、かなり小さな三角片となるので、所定距離上方にずらして固定のための釘穴が２つ確保できる大きさが好ましい。これにより、第２プレカット瓦５ｂの切断位置が決定される。次に、第２桟木７に固定する瓦は、働き幅の半分だけずらして固定されるので、その位置により、第１プレカット瓦５ａの切断線の延長上を切断することで第３プレカット瓦５ｃの切断位置が決定される。同様にして、第３プレカット瓦５ｃの右隣の第４プレカット瓦５ｄの切断位置も自動的に決定される。次に、第３桟木８に固定する瓦は、上記第４プレカット瓦５ｄから働き幅の半分だけずらして固定されるので、その位置より、第１プレカット瓦５ａの切断線の延長上を切断することで第５プレカット瓦５ｅの切断位置が決定される。次の第４桟木（図示せず）に固定する瓦は、同様に考えると、上記第１プレカット瓦５ａと同じ形状となるので、上記第１から第５のプレカット瓦５ａ〜５ｅを単位モジュールとして、繰り返すことで、谷芯４に沿って最後まで葺き上げることができる。なお、図４では、アンダーラップ部分を含んだＦ形瓦の実際の切断寸法を例示しているが、これに限定されるものではなく、実際には屋根勾配によって谷芯４の角度（上述のθ）が変化し、それに応じて切断寸法が変更されるものである。
【００２１】
上述したように、屋根勾配により谷芯の角度が決定され、瓦の働き幅および働き長さを考慮しつつ、その角度に応じて、瓦の角部を切断すれば、５種類のプレカット瓦で単位モジュールを形成し、その繰り返しで、谷芯部分を葺き上げることが可能となるものである。そして、この切断寸法は、予め谷芯の角度が図面等により分かるので、その数値をもとに切断寸法を算出し、事前に工場で切断することができる。これによって、職人の技術力や粉塵の発生に関する前述した諸問題が悉く解決できるものである。
【００２２】
また、上述した各プレカット瓦は、基本的には正常に焼成したＦ形桟瓦を工場で所定寸法に切断して形成するものであるが、焼成時に一部が欠損した瓦を用いることもできる。即ち、提示した例によれば、瓦の右下部分を所定寸法で切断してプレカット瓦を形成するので、瓦の右下角部に焼成時の欠損等がある場合、その部分は切断して廃棄する部分に相当するので、切断後は正常な瓦と何ら変わることなく利用することができ、従来はそのまま廃棄していた一部欠損の瓦も再利用することが可能となる。これにより、プレカット瓦の製造コストを大きく削減することが可能となるものである。
【００２３】
なお、上記実施形態は、谷芯から左側を葺く場合について説明したが、谷芯から右側についても同様に考えることができ、この場合は、瓦の左下角部分を谷芯が軒先と形成する角度で切断して、５種類のプレカット瓦を作成すればよい。
【００２４】
また、上記実施形態では、谷部分についてのみ説明したが、隅棟部分を葺く場合も同様に考えることができる。即ち、隅棟部分において、隅棟が軒先と形成する角度で規格寸法の瓦の角部を所定幅だけ切断し、これを複数種類組み合わせて単位モジュールを形成して隅棟部分を葺くようにすればよい。これにより、隅棟部分を葺く場合に生じる諸問題を解決することができる。
【００２５】
次に、他の実施形態について図５をもとに説明する。前記実施形態では、瓦の切断角度θを、谷芯が軒先と形成する角度と同じとし、瓦の切断面が谷芯と平行するように切断して５種類のプレカット瓦を構成したが、本実施形態では、上記切断角度を上記角度より１〜３度小さくして切断することとした。瓦の切断角度を谷芯が軒先と形成する角度と同じ角度とすると、粘土瓦の特性であるひずみや寸法誤差によって、軒先側から見た場合、却って段葺き部の誤差が強調され、不揃いとなって意匠的に見栄えが悪くなるという問題があった。そこで、瓦の切断角度を実際に谷芯が軒先と形成する角度より１〜３度小さく設定して各瓦を切断しておくと、実際に施工した場合、ひずみや寸法誤差、瓦の厚味による戻り勾配等を補正することができるようになることが分かった。そして、これにより、軒先側から見た場合に、瓦の段葺き部の見掛け誤差を仰角によって吸収し、一直線に見える効果があり、美感上、大きく寄与するのである。
【００２６】
なお、上記各実施形態ではＦ形の桟瓦を千鳥葺きする場合を例に説明したが、Ｆ形の桟瓦を筋葺きする場合や、他のＪ形、Ｓ形の瓦を使用する場合も、基本的な考え方は同様である。即ち、隅棟や谷芯が軒先と形成する角度、および、瓦の働き幅と働き長さを考慮して、単位モジュールが形成できるように、切断幅を算出し、予め工場で切断加工することにより、上述した種々の問題が解決できるのである。
【図面の簡単な説明】
【００２７】
【図１】寄せ棟屋根の一例を示す平面図である。
【図２】谷部分の葺き初めのプレカット瓦の配置の例を示すものである。
【図３】単位モジュールのプレカット瓦の配置の具体例を示すものである。
【図４】Ｆ形瓦の実際の切断形状の例を示すものである。
【図５】瓦の切断角度を変更する例を示すものである。
【符号の説明】
【００２８】
１  谷部分
２  屋根面
３  屋根面
４  谷芯
５  プレカット瓦
６  第１桟木
７  第２桟木
８  第３桟木
【図１】
2008127786.tif 000003
【図２】
2008127786.tif 000004
【図３】
2008127786.tif 000005
【図４】
2008127786.tif 000006
【図５】
2008127786.tif 000007